(57)【要約】【課題】デフォルトベアラ確立が結果的に成功する確率を向上する無線通信基地局装置及び移動管理装置を提供すること。【解決手段】ＭＭＥ２１０において位置登録・ベアラ確立制御部２１１が、カウンタ２１２のカウンタ値が所定値未満の間、ｅＮＢ２２０からベアラ確立要求に対する受諾応答（つまり、ＥＰＳベアラコンテキスト確立応答）を受け取るまで、ベアラ確立要求を繰り返し送信する。また、ｅＮＢ２２０において位置登録・ベアラ確立制御部２２１が、カウンタ２１２のカウンタ値が所定値未満の間、ＵＥ４００からベアラ確立要求に対する受諾応答（つまり、無線ベアラ確立応答）を受け取るまで、ベアラ確立要求を繰り返し送信する。こうしてＥＰＳベアラコンテキスト確立及び無線ベアラ確立を繰り返し試みるので、デフォルトベアラ確立の成功確率を結果的に向上することができる。【選択図】図１
2009246772.tif 000002
【特許請求の範囲】
【請求項１】
移動通信装置と直接通信する無線通信基地局装置と、前記移動通信装置の位置を管理する移動管理装置とを有する通信システムにおける移動管理装置であって、
前記移動通信装置が前記移動管理装置に対して位置登録を要求する位置登録手順において自機から前記無線通信基地局装置へ前記位置登録の要求に対する受諾応答を送信するときに、前記受諾応答と共にベアラ確立要求を前記無線通信基地局装置へ送信する位置登録・ベアラ確立制御手段と、
前記受諾応答の送信タイミングからの経過時間、又は、前記ベアラ確立要求の送信回数をカウントするカウンタと、
を具備し、
前記位置登録・ベアラ確立制御手段は、前記経過時間又は前記送信回数が所定値未満の間、前記無線通信基地局装置から前記ベアラ確立要求に対する受諾応答を受け取るまで、前記ベアラ確立要求を繰り返し送信する、
移動管理装置。
【請求項２】
前記位置登録・ベアラ確立制御手段は、前記経過時間又は前記送信回数が前記所定値になるまでに前記ベアラ確立要求に対する受諾応答を受け取らない場合、前記位置登録の抹消処理を実行する、
請求項１に記載の移動管理装置。
【請求項３】
移動通信装置と直接通信する無線通信基地局装置と、前記移動通信装置の位置を管理する移動管理装置とを有する通信システムにおける無線通信基地局装置であって、
前記移動通信装置が前記移動管理装置に対して位置登録を要求する位置登録手順において前記位置登録の要求に対する受諾応答を前記移動管理装置から受信したときに、ベアラ確立要求を前記移動通信装置へ送信する位置登録・ベアラ確立制御手段と、
前記ベアラ確立要求の送信タイミングからの経過時間、又は、前記ベアラ確立要求の送信回数をカウントするカウンタと、
を具備し、
前記位置登録・ベアラ確立制御手段は、前記経過時間又は前記送信回数が所定値未満の間、前記移動通信装置から前記ベアラ確立要求に対する受諾応答を受け取るまで、前記ベアラ確立要求を繰り返し送信する、
無線通信基地局装置。
【請求項４】
前記位置登録・ベアラ確立制御手段は、前記経過時間又は前記送信回数が前記所定値になるまでに前記ベアラ確立要求に対する受諾応答を受け取らない場合、前記位置登録の抹消要求を前記移動管理装置に送信する、
請求項３に記載の無線通信基地局装置。
【発明の詳細な説明】
【技術分野】
【０００１】
本発明は、移動管理装置及び無線通信基地局装置に関する。
【背景技術】
【０００２】
ＬＴＥ／ＳＡＥ（Long Term Evolution/System Architecture Evolution）システムは、ＵＭＴＳ（Universal Mobile Telecommunications System）から進化した次世代移動通信システムであり、より向上した移動通信サービスの提供を目標とする。
【０００３】
ＬＴＥ／ＳＡＥシステムは、移動通信装置（ＵＥ）と直接通信を行う無線通信基地局装置（Evolved NodeB：ｅＮＢ）と、ＵＥの位置管理を行う移動管理装置（Mobility Management Entity：ＭＭＥ）とを有する。
【０００４】
ＬＴＥ／ＳＡＥシステムにおいては、ＵＥがＭＭＥに位置登録をしている間は、ＵＥとｅＮＢとの間及びｅＮＢとＭＭＥとの間に、常にデフォルトベアラ（default bearer）が確立されていることが要求されている。この要求はＬＴＥ／ＳＡＥシステムの基本原理であり、「always-on IP connectivityの要求」と呼ばれることがある。
【０００５】
この要求により、ＬＴＥ／ＳＡＥシステムにおいては、ＵＥの電源がＯＮされる時などに行われる初期位置登録処理に伴い、必ずデフォルトベアラの確立処理が行われる。図１０は、現在３ＧＰＰ  ＬＴＥで定められている初期位置登録手順及びベアラ確立手順を示す図である。また、図１１は、ＬＴＥ／ＳＡＥシステムにおけるプロトコルスタックを示す図である。
【０００６】
図１０に示すようにＵＥはＬＴＥ／ＳＡＥネットワークにアクセスしてパケット交換サービスを利用するためにアタッチ(登録)処理を開始する。アタッチ処理を行うためにＵＥはステップＳ１００１でｅＮＢにアタッチメッセージを送信する。ステップＳ１００２でｅＮＢはＭＭＥの選択処理などを行って、アクセスすべきＭＭＥを確定した後に、アタッチメッセージをＭＭＥに転送する。
【０００７】
ステップＳ１００３でＭＭＥは、ＵＥのアイデンティティチェック及びＩＭＳＩ認証などの、ＵＥの検査を行う。ＭＭＥが先のデタッチ後に変わっている場合、ステップＳ１００４でＭＭＥはＨＳＳに対して更新処理を行う。ステップＳ１００５でＨＳＳは、ＭＭＥに対してＵＥの加入者情報を送信する。ステップＳ１００６でＭＭＥは、ＨＳＳに対して、ＵＥの加入者情報を受信した旨の応答を送信する。
【０００８】
ステップＳ１００７でＨＳＳは、ＭＭＥの位置更新処理に対する応答を行う。ステップＳ１００８でＭＭＥは、サービングゲートウェイ（Serving Gateway）の選択を行い、ＵＥと関連付けられたＥＰＳ（Evolved Packet Service）デフォルトベアラの識別子などを割り当てた後に、選択したサービングゲートウェイに対してデフォルトベアラの生成要求を送信する。ステップＳ１００９でサービングゲートウェイは、ＥＰＳベアラ管理テーブルの更新処理などを行った後に、ＰＤＮゲートウェイにデフォルトベアラの生成要求を送信する。
【０００９】
ステップＳ１０１０でＰＤＮゲートウェイは、デフォルトベアラの生成応答をサービングゲートウェイに送信する。ステップＳ１０１１でサービングゲートウェイは、デフォルトベアラの生成応答をＭＭＥに送信する。ステップＳ１０１２でＭＭＥは、ＥＰＳベアラコンテキストを確立するために必要な情報と共にアタッチ応答をｅＮＢに送信する。
【００１０】
ステップＳ１０１３でｅＮＢは、無線ベアラ確立要求をＵＥに送信する。ここでｅＮＢは、ＭＭＥから受信したアタッチ応答メッセージを無線ベアラ確立要求メッセージに含めて送信する。なお、無線ベアラ確立要求とアタッチ応答とは、別々に送信されてもよい。
【００１１】
ステップＳ１０１４でＵＥは、無線ベアラ確立応答をｅＮＢに送信する。これにより、ＵＥとｅＮＢとの間に、無線ベアラが確立される。
【００１２】
ステップＳ１０１５でｅＮＢは、アタッチ完了通知メッセージをＭＭＥに転送する。ここで、ｅＮＢは、ＭＭＥから受信したアタッチ応答メッセージに対するアタッチ完了通知メッセージを無線ベアラ確立応答メッセージに含めて送信する。これにより、ＵＥとＭＭＥとの間に、ベアラが確立される。なお、無線ベアラ確立応答とアタッチ完了通知とは、別々に送信されてもよい。
【００１３】
ステップＳ１０１６でＭＭＥは、ベアラ更新要求をサービングゲートウェイに送信する。ステップＳ１０１７でサービングゲートウェイは、ベアラ更新応答をＭＭＥに送信する。
【００１４】
このようにして位置登録手順に付随してデフォルトベアラの確立手順が実行されることで、always-on IP connectivityの要求が満たされることになる（非特許文献１参照）。
【非特許文献１】3GPP TS23.401 v8.1.0: General Packet Radio Service (GPRS) enhancements for Evolved Universal Terrestrial Radio Access Network (E-UTRAN) access
【発明の開示】
【発明が解決しようとする課題】
【００１５】
しかしながら、従来のデフォルトベアラの確立手順でその確立が必ず成功する保証はなく、失敗した場合には、always-on IP connectivityの要求が満たされなくなってしまう。そのため、何らかの処理によりデフォルトベアラを確立する必要があるが、この点について何ら検討されていない。すなわち、現在３ＧＰＰ  ＬＴＥではデフォルトベアラ確立の成功することが想定されており、失敗するケースについては何ら考慮されていない。
【００１６】
本発明は、かかる点に鑑みてなされたものであり、デフォルトベアラ確立が失敗した場合であっても、デフォルトベアラ確立が結果的に成功する確率を向上する無線通信基地局装置及び移動管理装置を提供することを目的とする。
【課題を解決するための手段】
【００１７】
本発明の移動管理装置は、移動通信装置と直接通信する無線通信基地局装置と、前記移動通信装置の位置を管理する移動管理装置とを有する通信システムにおける移動管理装置であって、前記移動通信装置が前記移動管理装置に対して位置登録を要求する位置登録手順において自機から前記無線通信基地局装置へ前記位置登録の要求に対する受諾応答を送信するときに、前記受諾応答と共にベアラ確立要求を前記無線通信基地局装置へ送信する位置登録・ベアラ確立制御手段と、前記受諾応答の送信タイミングからの経過時間、又は、前記ベアラ確立要求の送信回数をカウントするカウンタと、を具備し、前記位置登録・ベアラ確立制御手段は、前記経過時間又は前記送信回数が所定値未満の間、前記無線通信基地局装置から前記ベアラ確立要求に対する受諾応答を受け取るまで、前記ベアラ確立要求を繰り返し送信する構成を採る。
【発明の効果】
【００１８】
本発明によれば、デフォルトベアラ確立の成功確率を結果的に向上する無線通信基地局装置及び移動管理装置を提供することができる。
【発明を実施するための最良の形態】
【００１９】
以下、本発明の一実施の形態について図面を参照して詳細に説明する。なお、実施の形態において、同一の構成要素には同一の符号を付し、その説明は重複するので省略する。
【００２０】
［システム構成］
図１は、本発明の一実施の形態に係る通信システムの全体構成図である。図１において通信システム１０は、第１の通信システム２０と、第２の通信システム３０とを有する。ＵＥ４００は、第１の通信システム２０又は第２の通信システム３０と通信を行う。
【００２１】
第１の通信システム２０は、ＬＴＥ／ＳＡＥシステムである。第１の通信システム２０は、ＭＭＥ２１０と、ｅＮＢ２２０と、ＨＳＳ（Home Subscriber Subsystem）２３０と、サービングゲートウェイ（Serving Gateway）２４０と、ＰＤＮゲートウェイ（Public Data Network Gateway）２５０とを含む。
【００２２】
ＭＭＥ２１０は、ＬＴＥ／ＳＡＥシステムにおけるモビリティ管理及びセッション制御を行う。すなわち、ＭＭＥ２１０は、ＥＰＳデフォルトベアラ及び専用ベアラの確立制御及び廃棄制御を行う。
【００２３】
ｅＮＢ２２０は、ＬＴＥ／ＳＡＥシステムにおいて、ＵＥの無線通信制御、及び、ＵＥとの間のセッション制御を行う。
【００２４】
ＨＳＳ２３０は、ＩＭＳ（IP Multimedia Subsystem）で用いるユーザＩＤの管理、各ユーザの加入しているサービスのプロファイル管理、認証用情報の管理、及び、各ＩＭＳサービス利用可否の管理を行う。また、ＨＳＳ２３０は、ユーザ移動管理のためのデータベースを含む。
【００２５】
サービングゲートウェイ２４０は、ＬＴＥ／ＳＡＥシステムにおいて、データ転送機能等を担う。
【００２６】
ＰＤＮゲートウェイ２５０は、ＬＴＥ／ＳＡＥシステムにおいて、データ転送機能等を担う。ＰＤＮゲートウェイ２５０は、外部ネットワークとの終端点であり、図１ではＰＣＲＦ（Policy and Charging Rules Function）を介して外部のサービスサーバ群と接続されている。
【００２７】
第２の通信システム３０は、ＵＴＲＡＮ（UMTS Terrestrial Radio Access Network）３１と、ＧＥＲＡＮ（GSM/EDGE Radio Access Network）３２と、ＳＧＳＮ（Serving GPRS Support Node）３１０とを含む。上記したＨＳＳ（Home Subscriber Subsystem）２３０と、サービングゲートウェイ（Serving Gateway）２４０と、ＰＤＮゲートウェイ（Public Data Network Gateway）２５０とは、通信システム３０を構成する装置でもある。
【００２８】
ＳＧＳＮ３１０は、ＧＳＭ／ＵＭＴＳにおいて、モビリティ管理及びセッション制御を行う。
【００２９】
以上の構成を有する第１の通信システム２０に対しては、上述のようにalways-on IP connectivityの要求がある。すなわち、ＵＥがＭＭＥに位置登録をしている間は、ＵＥとｅＮＢとの間及びｅＮＢとＭＭＥとの間に、常にデフォルトベアラ（default bearer）が確立されていることが要求されている。ここでデフォルトベアラは、ＵＥ４００とＰＤＮゲートウェイ２５０と間のパケットデータの転送経路である。また、デフォルトベアラが確立されている状態とは、ＥＰＳ無線ベアラ（Evolved Packet Service Radio Bearer）及びＥＰＳベアラコンテキストが確立されており、且つ、ＵＥにＩＰアドレスが割り当てられている状態である。デフォルトベアラは、例えば、初期位置登録手順（Initial Attach procedure）に付随して確立される
【００３０】
［ＭＭＥ２１０の構成］
ＭＭＥ２１０は、図１に示すように位置登録・ベアラ確立制御部２１１と、カウンタ２１２とを有する。
【００３１】
位置登録・ベアラ確立制御部２１１は、位置登録手順においてＭＭＥ２１０からｅＮＢ２２０へ位置登録要求に対する受諾応答（つまり、アタッチ応答）を送信するときに、受諾応答と共にベアラ確立要求をｅＮＢ２２０へ送信する。ここで、位置登録要求手順では、ＵＥ４００がＭＭＥ２１０に対して位置登録を要求する。
【００３２】
位置登録・ベアラ確立制御部２１１は、受諾応答を送信するとともに、そのタイミングでカウンタ２１２のカウントを開始させる。
【００３３】
位置登録・ベアラ確立制御部２１１は、カウンタ２１２のカウンタ値が所定値未満の間、ｅＮＢ２２０からベアラ確立要求に対する受諾応答（つまり、ＥＰＳベアラコンテキスト確立応答）を受け取るまで、ベアラ確立要求を繰り返し送信する。
【００３４】
位置登録・ベアラ確立制御部２１１は、カウント値が所定値になるまでにベアラ確立要求に対する受諾応答をｅＮＢ２２０から受け取らない場合、位置登録の抹消処理（つまり、デタッチ処理）を実行する。
【００３５】
カウンタ２１２は、最初のベアラ確立要求を含むアタッチ応答の送信タイミングからの経過時間、又は、最初のベアラ確立要求を含むアタッチ応答の送信回数をカウントする。
【００３６】
［ｅＮＢ２２０の構成］
ｅＮＢ２２０は、図１に示すように位置登録・ベアラ確立制御部２２１と、カウンタ２２２とを有する。
【００３７】
位置登録・ベアラ確立制御部２２１は、位置登録手順において位置登録の要求に対する受諾応答（つまり、アタッチ応答）をＭＭＥ２１０から受信したときに、最初のベアラ確立要求をＵＥ４００へ送信する。
【００３８】
位置登録・ベアラ確立制御部２２１は、最初のベアラ確立要求を送信するとともに、そのタイミングでカウンタ２２２のカウントを開始させる。
【００３９】
位置登録・ベアラ確立制御部２２１は、カウンタ２２２のカウンタ値が所定値未満の間、ＵＥ４００からベアラ確立要求に対する受諾応答（つまり、無線ベアラ確立応答）を受け取るまで、ベアラ確立要求を繰り返し送信する。
【００４０】
位置登録・ベアラ確立制御部２２１は、カウント値が所定値になるまでにベアラ確立要求に対する受諾応答をＵＥ４００から受け取らない場合、位置登録の抹消要求をＭＭＥ２１０に送信する。
【００４１】
［通信システム１０の動作説明］
次に、通信システム１０の動作について説明する。
【００４２】
［通信システム２０において初期位置登録手順が行われる場合］
図２は、ＥＰＳ無線ベアラの確立に失敗する場合のシーケンス図である。図２において、まずステップＳ１００１〜ステップＳ１０１３までの流れは、図１０と同様である。
【００４３】
ステップＳ１０１２でＥＰＳベアラコンテキストを確立するために必要な情報と共にアタッチ応答をｅＮＢ２２０に送信すると、ＭＭＥ２１０は、図３に示すフローに従ってＥＰＳベアラコンテキスト確立繰り返し処理を実行する。
【００４４】
すなわち、ＥＰＳベアラコンテキストを確立するために必要な情報（つまり、ＥＰＳベアラコンテキスト要求メッセージ）と共にアタッチ応答をｅＮＢ２２０に送信すると、位置登録・ベアラ確立制御部２１１は、ステップＳ３００１でカウンタ２１２のカウントを開始させる。ここではカウンタ２１２をタイマとして説明する。すなわち、位置登録・ベアラ確立制御部２１１は、ベアラコンテキスト確立タイマを開始させる。
【００４５】
このＥＰＳベアラコンテキスト確立要求の送信に対して、ステップＳ３００２で位置登録・ベアラ確立制御部２１１は、ＵＥ４００からのメッセージをｅＮＢ２２０を介して受信する。
【００４６】
ステップＳ３００３で位置登録・ベアラ確立制御部２１１は、ＵＥ４００からのメッセージがＥＰＳベアラコンテキストの確立に成功したことを示しているか否かを判断し、成功を示している場合（ステップＳ３００３：ＹＥＳ）には、ＥＰＳベアラコンテキスト確立繰り返し処理を終了させる。図２のシーケンスでは、ＵＥ４００からのメッセージが成功を示しているので、ステップＳ１０１５でアタッチ完了メッセージを受信した時点で、ＥＰＳベアラコンテキスト確立繰り返し処理は終了している。
【００４７】
一方、失敗を示している場合（ステップＳ３００３：ＮＯ）には、ステップＳ３００４で位置登録・ベアラ確立制御部２１１は、ベアラコンテキストタイマが満了したか否かを判断する。
【００４８】
タイマが満了していない場合（ステップＳ３００４：ＮＯ）には、ステップＳ３００５で位置登録・ベアラ確立制御部２１１は、再度、ＥＰＳベアラコンテキスト要求メッセージを送信し、ＵＥ４００からのメッセージを受信するまで待機する。
【００４９】
タイマが満了している場合（ステップＳ３００４：ＹＥＳ）には、always-on IP connectivityの要求が満たされていない状態を解消するために、ステップＳ３００６で位置登録・ベアラ確立制御部２１１は、デタッチ処理を開始する。
【００５０】
一方、ｅＮＢ２２０は、ステップＳ１０１３で最初の無線ベアラ確立要求をＵＥ４００に送信すると、図４に示すフローに従って無線ベアラ確立繰り返し処理を実行する。
【００５１】
すなわち、最初のベアラ確立要求をＵＥ４００に送信すると、位置登録・ベアラ確立制御部２２１は、ステップＳ４００１でカウンタ２２２のカウントを開始させる。ここではカウンタ２２２をタイマとして説明する。すなわち、位置登録・ベアラ確立制御部２２１は、ベアラコンテキスト確立タイマを開始させる。
【００５２】
この最初のベアラ確立要求の送信に対して、ステップＳ４００２で位置登録・ベアラ確立制御部２２１は、ＵＥ４００からのメッセージを受信する。
【００５３】
ステップＳ４００３で位置登録・ベアラ確立制御部２２１は、ＵＥ４００からのメッセージが無線ベアラの確立に成功したことを示しているか否かを判断し、成功を示している場合（ステップＳ４００３：ＹＥＳ）には、無線ベアラ確立繰り返し処理を終了させる。
【００５４】
一方、失敗を示している場合（ステップＳ４００３：ＮＯ）には、ステップＳ４００４で位置登録・ベアラ確立制御部２２１は、ベアラコンテキストタイマが満了したか否かを判断する。
【００５５】
タイマが満了していない場合（ステップＳ４００４：ＮＯ）には、ステップＳ４００５で位置登録・ベアラ確立制御部２２１は、再度、無線ベアラ確立要求メッセージを送信し、ＵＥ４００からのメッセージを受信するまで待機する。
【００５６】
タイマが満了している場合（ステップＳ４００４：ＹＥＳ）には、always-on IP connectivityの要求が満たされていない状態を解消するために、ステップＳ４００６で位置登録・ベアラ確立制御部２２１は、ＭＭＥ２１０にデタッチ処理をさせるために、無線ベアラ確立失敗通知メッセージ（つまり、位置登録の抹消要求）をＭＭＥ２１０に送信する。
【００５７】
図２のシーケンスでは、位置登録・ベアラ確立制御部２２１は、ステップＳ１０１３で無線ベアラ確立要求を送信しているがステップＳ２００１で送信された無線ベアラ確立拒否メッセージを受け取っているので、ステップＳ２００２で再度無線ベアラ確立要求を送信している。
【００５８】
そして、タイマの満了前に、ステップＳ１０１４で位置登録・ベアラ確立制御部２２１は無線ベアラ確立応答を受信しており、この時点で無線ベアラが確立されている。
【００５９】
図５は、無線ベアラ確立繰り返し処理を実行したがタイマ満了までに確立されなかった場合のシーケンス図である。
【００６０】
すなわち、ステップ２１０１でＵＥ４００から無線ベアラ確立拒否メッセージが送信され、ステップＳ２１０２でタイマが満了している。
【００６１】
そのため、図４のステップＳ４００４で失敗を示していると判断され、ステップＳ４００６で無線ベアラ確立失敗通知メッセージが送信される（図５のステップＳ２１０３に対応）。
【００６２】
そして、無線ベアラ確立失敗通知メッセージを受け取ると、ステップＳ２１０４でＭＭＥ２１０はデタッチ手順を開始する。
【００６３】
図６は、ＥＰＳベアラコンテキストの確立に失敗する場合のシーケンス図である。図６において、まずステップＳ１００１〜ステップＳ１０１４までの流れは、図１０と同様である。
【００６４】
ステップＳ２２０１でＥＰＳベアラコンテキスト確立拒否メッセージが送信されるため、ＭＭＥ２１０は、ステップＳ２２０２で再度ＥＰＳベアラコンテキスト確立要求メッセージを送信する。
【００６５】
そしてステップＳ２２０３でｅＮＢ２２０は、ＥＰＳベアラコンテキスト確立要求メッセージをＵＥ４００に転送し、それに対する応答としてＥＰＳベアラコンテキスト確立応答をステップＳ２２０４で受け取る。
【００６６】
そしてステップＳ１０１５でＥＰＳベアラコンテキスト確立応答がｅＮＢ２２０からＭＭＥ２１０に送信される。ここではタイマ満了前にＥＰＳベアラコンテキスト確立応答を受け取っているので、ＭＭＥ２１０は、ＥＰＳベアラコンテキスト確立繰り返し処理を終了する。
【００６７】
図７は、ＥＰＳベアラコンテキスト確立繰り返し処理を実行したがタイマ満了までに確立されなかった場合のシーケンス図である。
【００６８】
すなわち、ステップＳ２２０４ではＥＰＳベアラコンテキスト確立拒否メッセージが送信されており、ｅＮＢ２２０は、ステップＳ２２０５でＥＰＳベアラコンテキスト確立拒否メッセージをＭＭＥ２１０に送信する。
【００６９】
ＥＰＳベアラコンテキスト確立拒否メッセージを受け取ると、ＭＭＥ２１０は、タイマが満了になっていないことを確認し、ステップＳ２２０６でＥＰＳベアラコンテキスト確立要求メッセージを送信する。このＥＰＳベアラコンテキスト確立要求メッセージを受け取り、ｅＮＢ２２０はステップＳ２２０７でＥＰＳベアラコンテキスト確立要求メッセージをＵＥ４００に転送する。
【００７０】
図７においては、ＥＰＳベアラコンテキスト確立メッセージを受け取る前に、ステップＳ２３０１でタイマが満了するため、ＭＭＥ２１０は、ステップＳ２３０２でデタッチ手順を開始する。
【００７１】
（対比技術）
上述したように従来のＬＴＥ／ＳＡＥシステムでは、デフォルトベアラ確立が失敗した場合の手当がなされていないため、例えば、以下に示す場合に問題が発生する。
【００７２】
図８は、無線ベアラ確立が失敗した場合のシーケンス図である。
【００７３】
図８のステップＳ２４０１で送信された無線ベアラ確立拒否メッセージを、ｅＮＢは受け取る。ここで従来のｅＮＢは無線ベアラの確立を再度試みることがない。すなわち、従来のＬＴＥ／ＳＡＥシステムでは、無線ベアラを確立する一度の試みが失敗した場合には無線ベアラが非確立状態であり、且つ、ＥＰＳベアラコンテキストが確立状態である状態が続くことになり、always-on IP connectivityの要求が満たされることがない。
【００７４】
図９は、ＥＰＳベアラコンテキスト確立が失敗した場合のシーケンス図である。
【００７５】
図９のステップＳ２５０１で送信されたＥＰＳベアラコンテキスト確立拒否メッセージを、ＭＭＥは受け取る。ここで従来のＭＭＥは、ＥＰＳベアラコンテキスト確立を再度試みることがない。すなわち、従来のＬＴＥ／ＳＡＥシステムでは、ＥＰＳベアラコンテキストを確立する一度の試みが失敗した場合にはＥＰＳベアラコンテキストが非確立状態であり、且つ、無線ベアラが確立状態である状態が続くことになり、always-on IP connectivityの要求が満たされることがない。
【００７６】
これに対して、本実施の形態のＬＴＥ／ＳＡＥシステム１０のＭＭＥ２１０及びｅＮＢ２２０は、いずれもカウンタ値が所定値になるまで、ＥＰＳベアラコンテキスト確立及び無線ベアラ確立を繰り返し試みる。これにより、デフォルトベアラ確立の成功確率を結果的に向上することができる。ところで、ＥＰＳベアラコンテキスト確立又は無線ベアラ確立に失敗した場合には、アタッチ処理を最初から再度行うことによってもＥＰＳベアラコンテキスト確立及び無線ベアラ確立を再度試みることは可能である。しかしながら、本実施の形態のＬＴＥ／ＳＡＥシステム１０のＭＭＥ２１０及びｅＮＢ２２０のように、アタッチ処理を最初から再度行うのではなく、ベアラ確立要求を繰り返し送信してデフォルトベアラ確立を繰り返し試みることで、ベアラ確立までの時間を短縮することができ、その結果、ベアラ確立を高速化することができる。
【００７７】
本実施の形態のＬＴＥ／ＳＡＥシステム１０のＭＭＥ２１０及びｅＮＢ２２０は、カウンタ値が所定値になるまでにＥＰＳベアラコンテキスト及び無線ベアラの一方の確立が成功しない場合、位置登録を積極的に抹消する処理（デタッチ処理）を行う。これにより、アタッチ処理が再度開始されることになる。従って、デフォルトベアラ確立を試みる機会が従来に比べて増えるので、デフォルトベアラ確立の成功確率を結果的に向上することができる。
【産業上の利用可能性】
【００７８】
本発明の無線通信基地局装置及び移動管理装置は、デフォルトベアラ確立が失敗した場合であっても、デフォルトベアラ確立が結果的に成功する確率を向上するものとして有用である。
【図面の簡単な説明】
【００７９】
【図１】本発明の一実施の形態に係る通信システムの全体構成図
【図２】ＥＰＳ無線ベアラの確立に失敗する場合のシーケンス図
【図３】ＭＭＥのＥＰＳベアラコンテキスト確立繰り返し処理を示すフロー図
【図４】ｅＮＢの無線ベアラ確立繰り返し処理を示すフロー図
【図５】無線ベアラ確立繰り返し処理を実行したがタイマ満了までに確立されなかった場合のシーケンス図
【図６】ＥＰＳベアラコンテキストの確立に失敗する場合のシーケンス図
【図７】ＥＰＳベアラコンテキスト確立繰り返し処理を実行したがタイマ満了までに確立されなかった場合のシーケンス図
【図８】従来のＬＴＥ／ＳＡＥシステムにおける問題点の説明に供する図
【図９】従来のＬＴＥ／ＳＡＥシステムにおける問題点の説明に供する図
【図１０】従来のＬＴＥ／ＳＡＥシステムにおける初期位置登録手順及びベアラ確立手順を示す図
【図１１】従来のＬＴＥ／ＳＡＥシステムのプロトコルスタックを示す図
【符号の説明】
【００８０】
１０，２０，３０  通信システム
３１  ＵＴＲＡＮ
３２  ＧＥＲＡＮ
２１０  ＭＭＥ
２２０  ｅＮＢ
２１１，２２１  位置登録・ベアラ確立制御部
２１２，２２２  カウンタ
２３０  ＨＳＳ
２４０  サービングゲートウェイ
２５０  ＰＤＮゲートウェイ
３１０  ＳＧＳＮ
【図１】
2009246772.tif 000003
【図２】
2009246772.tif 000004
【図３】
2009246772.tif 000005
【図４】
2009246772.tif 000006
【図５】
2009246772.tif 000007
【図６】
2009246772.tif 000008
【図７】
2009246772.tif 000009
【図８】
2009246772.tif 000010
【図９】
2009246772.tif 000011
【図１０】
2009246772.tif 000012
【図１１】
2009246772.tif 000013